(57)【要約】【課題】複数の光源および光学部品の位置関係を、より精度良く保持可能なランプユニットを提供する。【解決手段】ランプユニットは、複数の光源と、第１レンズ部材２０と、ヒートシンクとを備える。第１レンズ部材２０は、長手方向Ｗに沿って延びる第１位置決め部２０１と、短手方向Ｈに沿って延びる第２位置決め部２０２とを有する。ヒートシンクは、第１位置決め部２０１に嵌入される第１突出部と、第２位置決め部２０２に嵌入される第２突出部とを有する。第１位置決め部２０１は、第１レンズ部材２０の長手方向Ｗの両端部に、第１レンズ２３ａの光軸ＡＸ１と、長手方向Ｗに沿って並ぶ位置に形成される。【選択図】図６
2019220398.tif 000002
【特許請求の範囲】
【請求項１】
複数並んで設けられた光源と、
前記光源ごとに対応した位置に複数並んで設けられ、前記光源からの光を配光制御する光学部品を有する光学部材と、
前記光源および前記光学部材が取り付けられた取付部材と、
を備え、
前記光学部材は、複数の前記光源に対して位置決めされる基準点となる第１位置決め部および第２位置決め部を有し、
前記第１位置決め部は、前記光学部材の長手方向の両端部に形成され、
前記第２位置決め部は、前記光学部品の１つの光軸と前記光学部材の短手方向に沿って並ぶ位置に形成され、
前記光学部品の前記１つの前記光軸は、前記第１位置決め部の延長線と前記第２位置決め部の延長線とが交差する位置の近傍に配置される、
ことを特徴とするランプユニット。
【請求項２】
前記光学部品の前記１つは、カットオフラインを有する配光パターンを形成することを特徴とする請求項１に記載のランプユニット。
【請求項３】
前記光学部品の前記１つは、集光配光パターンを形成することを特徴とする請求項１または請求項２に記載のランプユニット。
【請求項４】
前記第１位置決め部は、前記光軸と前記長手方向に沿って並ぶ位置に形成されることを特徴とする請求項１から請求項３のいずれか一項に記載のランプユニット。
【請求項５】
前記第１位置決め部は、前記光学部材の長手方向に沿って長穴状またはスリット状に形成され、
前記第２位置決め部は、前記光学部材の短手方向に沿って長穴状またはスリット状に形成され、
前記取付部材は、前記第１位置決め部に嵌入される第１突出部と、前記第２位置決め部に嵌入される第２突出部とを有する、
ことを特徴とする請求項１から請求項４のいずれか一項に記載のランプユニット。
【請求項６】
前記光源が複数並んで設けられ、前記光学部材との間で前記取付部材に取り付けられた光源基板をさらに備え、
前記光源基板は、前記第１位置決め部に対応した位置に設けられ、前記長手方向に沿って延びる長穴状またはスリット状の第１基板位置決め部と、前記第２位置決め部に対応した位置に設けられ、前記短手方向に沿って延びる長穴状またはスリット状の第２基板位置決め部と、を有し、
前記第１突出部は、前記第１位置決め部および前記第１基板位置決め部に嵌入され、
前記第２突出部は、前記第２位置決め部および前記第２基板位置決め部に嵌入される、
ことを特徴とする請求項５に記載のランプユニット。
【請求項７】
前記光学部材は、前記複数の前記光学部品として複数の第１レンズを有する第１レンズ部材であることを特徴とする請求項１から請求項６のいずれか一項に記載のランプユニット。
【請求項８】
前記光源および前記第１レンズごとに対応した位置に複数並んで設けられ、前記第１レンズと共に前記光源からの光を配光制御する第２レンズを有する第２レンズ部材をさらに備え、
前記第２レンズ部材は、長手方向に沿って延びる長穴状またはスリット状の第３位置決め部と、短手方向に沿って延びる長穴状またはスリット状の第４位置決め部とを有し、
前記取付部材は、前記第３位置決め部に嵌入される第３突出部と、前記第４位置決め部に嵌入される第４突出部とを有し、
前記第３位置決め部は、前記第２レンズ部材の前記長手方向の両端部に形成され、
前記第４位置決め部は、前記光軸と前記短手方向に沿って並ぶ位置に形成され、
前記光軸は、前記第３位置決め部の延長線と前記第４位置決め部の延長線とが交差する位置の近傍に配置される、
ことを特徴とする請求項７に記載のランプユニット。
【請求項９】
前記第３位置決め部は、前記光軸と前記長手方向に沿って並ぶ位置に形成されることを特徴とする請求項８に記載のランプユニット。
【発明の詳細な説明】
【技術分野】
【０００１】
本発明は、ランプユニットに関する。
【背景技術】
【０００２】
従来、複数の光源と、光源からの光を配光制御する光学部品とを備えたランプユニットに関する技術が知られている。例えば、特許文献１には、基板に複数の発光素子を搭載した光源と、発光素子から出射された光を所定の配光で照射する複合リフレクタ（光学手段）とを備えた車両用ランプユニットが開示されている。この車両用ランプユニットでは、基板に複合リフレクタに対する位置決め基準となる第１基準穴および第２基準穴が設けられ、複合リフレクタに第１基準穴、第２基準穴に嵌入される位置決めピンが設けられる。
【先行技術文献】
【特許文献】
【０００３】
【特許文献１】特開２０１５−５０１７３号公報
【発明の概要】
【発明が解決しようとする課題】
【０００４】
しかしながら、上記特許文献１に記載の構造では、例えば、光源が取り付けられる基板と、光学手段とで素材が異なる場合、熱膨張係数が異なるため、熱影響により基板上の光源に対する光学手段の位置がずれてしまい、所望の配光制御を行うことができない可能性がある。また、基板や光学手段が部品として比較的大きい場合または剛性が低い場合には、ランプユニットに加わる振動、衝撃、基板や光学手段をねじ止めするときの摩擦トルク等に起因して、基板上の光源に対して光学手段の位置がずれてしまう可能性もある。
【０００５】
本発明は、上記に鑑みてなされたものであって、複数の光源および光学部品の位置関係を、より精度良く保持可能なランプユニットを提供することを目的とする。
【課題を解決するための手段】
【０００６】
上述した課題を解決し、目的を達成するために、本発明は、複数並んで設けられた光源と、前記光源ごとに対応した位置に複数並んで設けられ、前記光源からの光を配光制御する光学部品を有する光学部材と、前記光源および前記光学部材が取り付けられた取付部材と、を備え、前記光学部材は、複数の前記光源に対して位置決めされる基準点となる第１位置決め部および第２位置決め部を有し、前記第１位置決め部は、前記光学部材の長手方向の両端部に形成され、前記第２位置決め部は、前記光学部品の１つの光軸と前記光学部材の短手方向に沿って並ぶ位置に形成され、前記光学部品の前記１つの前記光軸は、前記第１位置決め部の延長線と前記第２位置決め部の延長線とが交差する位置の近傍に配置される、ことを特徴とする。
【０００７】
また、前記光学部品の前記１つは、カットオフラインを有する配光パターンを形成することが好ましい。
【０００８】
また、前記光学部品の前記１つは、集光配光パターンを形成することが好ましい。
【０００９】
また、前記第１位置決め部は、前記光軸と前記長手方向に沿って並ぶ位置に形成されることが好ましい。
【００１０】
また、前記第１位置決め部は、前記光学部材の長手方向に沿って長穴状またはスリット状に形成され、前記第２位置決め部は、前記光学部材の短手方向に沿って長穴状またはスリット状に形成され、前記取付部材は、前記第１位置決め部に嵌入される第１突出部と、前記第２位置決め部に嵌入される第２突出部とを有する、ことが好ましい。
【００１１】
また、前記光源が複数並んで設けられ、前記光学部材との間で前記取付部材に取り付けられた光源基板をさらに備え、前記光源基板は、前記第１位置決め部に対応した位置に設けられ、前記長手方向に沿って延びる長穴状またはスリット状の第１基板位置決め部と、前記第２位置決め部に対応した位置に設けられ、前記短手方向に沿って延びる長穴状またはスリット状の第２基板位置決め部と、を有し、前記第１突出部は、前記第１位置決め部および前記第１基板位置決め部に嵌入され、前記第２突出部は、前記第２位置決め部および前記第２基板位置決め部に嵌入される、ことが好ましい。
【００１２】
また、前記光学部材は、前記複数の前記光学部品として複数の第１レンズを有する第１レンズ部材であることが好ましい。
【００１３】
また、前記光源および前記第１レンズごとに対応した位置に複数並んで設けられ、前記第１レンズと共に前記光源からの光を配光制御する第２レンズを有する第２レンズ部材をさらに備え、前記第２レンズ部材は、長手方向に沿って延びる長穴状またはスリット状の第３位置決め部と、短手方向に沿って延びる長穴状またはスリット状の第４位置決め部とを有し、前記取付部材は、前記第３位置決め部に嵌入される第３突出部と、前記第４位置決め部に嵌入される第４突出部とを有し、前記第３位置決め部は、前記第２レンズ部材の前記長手方向の両端部に形成され、前記第４位置決め部は、前記光軸と前記短手方向に沿って並ぶ位置に形成され、前記光軸は、前記第３位置決め部の延長線と前記第４位置決め部の延長線とが交差する位置の近傍に配置される、ことが好ましい。
【００１４】
また、前記第３位置決め部は、前記光軸と前記長手方向に沿って並ぶ位置に形成されることが好ましい。
【発明の効果】
【００１５】
本発明によれば、複数の光源および光学部品の位置関係を、より精度良く保持可能なランプユニットを提供することができる。
【図面の簡単な説明】
【００１６】
【図１】図１は、ランプユニットを示す斜視図である。
【図２】図２は、ランプユニットを示す分解斜視図である。
【図３】図３は、ランプユニットを示す断面図である。
【図４】図４は、ランプユニットを示す正面図である。
【図５】図５は、光源基板を示す正面図である。
【図６】図６は、第１レンズ部材を示す正面図である。
【図７】図７は、ヒートシンク部材を示す正面図である。
【発明を実施するための形態】
【００１７】
以下、本発明にかかるランプユニットの実施形態を図面に基づいて説明する。なお、この実施形態によりこの発明が限定されるものではない。また、下記実施形態における構成要素には、当業者が置換可能かつ容易なもの、あるいは実質的に同一のものが含まれる。以下の説明において、前後、上下、左右の各方向は、ランプユニットが車両に取り付けられた状態における方向であって、運転席から車両の進行方向を見た場合における方向を示す。なお、本実施形態では、上下方向は鉛直方向に平行であり、左右方向は水平方向であるとする。
【００１８】
実施形態にかかるランプユニットの構成について、図面を参照しながら説明する。図１は、ランプユニットを示す斜視図であり、図２は、ランプユニットを示す分解斜視図であり、図３は、ランプユニットを示す断面図であり、図４は、ランプユニットを示す正面図である。実施形態において、図１から図４に示すランプユニット１は、車両に搭載される車両用前照灯である。ランプユニット１は、光源基板１０と、光学部材としての第１レンズ部材２０と、光学部材としての第２レンズ部材３０と、取付部材としてのヒートシンク４０とを備える。
【００１９】
（光源基板）
光源基板１０は、複数（本実施形態では、３つ）の光源１１が取り付けられた長尺状の部材である。光源基板１０は、例えば金属材料または樹脂材料等により形成される。光源基板１０は、ヒートシンク４０に取り付けられる。複数の光源１１は、図２および図３に示すように、互いに間隔を空けつつ、光源基板１０の長手方向に沿って並んで配置される。光源１１は、本実施形態において、例えばＬＥＤやＯＥＬ、ＯＬＥＤ（有機ＥＬ）などの半導体型光源である。以下の説明では、適宜、図２および図３中の左側から順番に、「光源１１ａ」、「光源１１ｂ」、「光源１１ｃ」と称する。光源基板１０には、各光源１１に電力を供給する給電部１２が設けられている。給電部１２は、図示しない電源装置に接続されている。
【００２０】
（第１レンズ部材）
第１レンズ部材２０は、光学部品として、複数の第１レンズ２３を有する長尺状の部材である。本実施形態において、第１レンズ部材２０は、例えばポリカーボネート系樹脂により形成される。第１レンズ部材２０は、ヒートシンク４０に取り付けられる。第１レンズ部材２０は、図２および図３に示すように、複数の第１レンズ２３を含むレンズ部２１と、レンズ部２１の周囲に延在する基部２２とを有している。レンズ部２１は、複数の第１レンズ２３が連なって形成される。
【００２１】
第１レンズ２３は、図３に示すように、光源基板１０に対して反対側に向けて凸形状を描く。第１レンズ２３は、光源１１ａ、１１ｂ、１１ｃに対応した位置に、１つずつ設けられる。以下の説明では、適宜、各第１レンズ２３を図３中の左側から順番に、「第１レンズ２３ａ」、「第１レンズ２３ｂ」、「第１レンズ２３ｃ」と称する。第１レンズ２３ａは、光源１１ａに対応して設けられ、光源１１ａからの光を集光した集光配光パターンを形成するための集光用レンズである。また、第１レンズ２３ａは、集光配光パターンについて、カットオフラインを形成する。第１レンズ２３ｂは、光源１１ｂに対応して設けられ、光源１１ｂからの光を中程度に拡散した中拡散配光パターンを形成する中拡散用レンズである。第１レンズ２３ｃは、光源１１ｃに対応して設けられ、光源１１ｃからの光を第１レンズ２３ｂよりも大きく拡散した拡散配光パターンを形成する拡散用レンズである。本実施形態において、第１レンズ２３ａの光軸ＡＸ１、第１レンズ２３ｂの光軸ＡＸ２、第１レンズ２３ｃの光軸ＡＸ３は、第１レンズ部材２０の長手方向に沿って並んで配置される。
【００２２】
（第２レンズ部材）
第２レンズ部材３０は、光学部品として、複数の第２レンズ３３を有する長尺状の部材である。第２レンズ部材３０は、第１レンズ部材２０よりも車両の進行方向側に配置される。本実施形態において、第２レンズ部材３０は、例えばアクリル系樹脂により形成される。第２レンズ部材３０は、ヒートシンク４０に取り付けられる。第２レンズ部材３０は、複数の第２レンズ３３を含むレンズ部３１と、レンズ部３１の周囲に延在する基部３２とを有している。レンズ部３１は、図２および図３に示すように、天井部３１１と、天井部３１１から延びる２つの脚部３１２とを有する。天井部３１１には、第２レンズ３３が連なって形成されている。また、レンズ部３１は、図１および図３に示すように、第１レンズ部材２０を嵌入可能となるように、天井部３１１とは反対側が開口している。
【００２３】
第２レンズ３３は、図３に示すように、光源基板１０側に向けて凸形状を描く。第２レンズ３３は、光源１１ａ、１１ｂ、１１ｃに対応した位置に、１つずつ設けられる。以下の説明では、適宜、各第２レンズ３３を図３中の左側から順番に、「第２レンズ３３ａ」、「第２レンズ３３ｂ」、「第２レンズ３３ｃ」と称する。第２レンズ３３ａは、光源１１ａに対応して設けられ、第１レンズ２３ａと一致した光軸ＡＸ１を有する。第２レンズ３３ａは、第１レンズ２３ａと共に、上記集光配光パターンを形成する集光用レンズである。第２レンズ３３ｂは、光源１１ｂに対応して設けられ、第１レンズ２３ｂと一致した光軸ＡＸ２を有する。第２レンズ３３ｂは、第１レンズ２３ｂと共に、上記中拡散配光パターンを形成する中拡散用レンズである。第２レンズ３３ｃは、光源１１ｃに対応して設けられ、第１レンズ２３ｃと一致した光軸ＡＸ３を有する。第２レンズ３３ｃは、第１レンズ２３ｃと共に、上記拡散配光パターンを形成する。
【００２４】
（ヒートシンク）
ヒートシンク４０は、例えば金属材料等、熱伝導率が高い材料により形成される。ヒートシンク４０は、樹脂材料により形成されてもよい。ヒートシンク４０は、取付部４１と、取付部４１に設けられた複数のフィン４２とを有する。取付部４１には、光源基板１０、第１レンズ部材２０、第２レンズ部材３０が取り付けられる。複数のフィン４２は、取付部４１の光源基板１０、第１レンズ部材２０、第２レンズ部材３０が取り付けられる面とは反対側に形成される。複数のフィン４２は、ランプユニット１の各構成部材で発生した熱を外部に放熱する。
【００２５】
次に、光源基板１０、第１レンズ部材２０および第２レンズ部材３０のヒートシンク４０に対する位置決め構造および取付構造について、図面を参照しながら説明する。図５は、光源基板を示す正面図であり、図６は、第１レンズ部材を示す正面図であり、図７は、ヒートシンク部材を示す正面図である。ここで、本実施形態において、光源基板１０、第１レンズ部材２０、第２レンズ部材３０およびヒートシンク４０の長手方向、短手方向および厚み方向は、一致している。以下の説明においては、光源基板１０、第１レンズ部材２０、第２レンズ部材３０およびヒートシンク４０の長手方向を「長手方向Ｗ」、短手方向を「短手方向Ｈ」、厚み方向（長手方向Ｗおよび短手方向Ｈと直交する方向）を「厚み方向Ｄ」と称する。
【００２６】
（位置決め構造）
光源基板１０は、図５に示すように、第１基板位置決め部１０１と、第２基板位置決め部１０２とを有する。第１基板位置決め部１０１は、光源基板１０の長手方向Ｗにおける両端部に、１つずつ設けられる。本実施形態において、図中左側に設けられる第１基板位置決め部１０１は、長手方向Ｗに沿って延びる長穴状に形成される。また、本実施形態において、図中右側に設けられる第１基板位置決め部１０１は、長手方向Ｗに沿って延びるスリット状に形成される。第１基板位置決め部１０１は、後述する第１レンズ部材２０に形成される第１位置決め部２０１と、厚み方向Ｄからみて重なる位置に形成される。第２基板位置決め部１０２は、光源基板１０の上辺に、短手方向Ｈに沿って延びるスリット状に形成される。第２基板位置決め部１０２は、後述する第１レンズ部材２０に形成される第２位置決め部２０２と、厚み方向Ｄからみて重なる位置に形成される。
【００２７】
第１レンズ部材２０は、図６に示すように、複数の光源１１に対して位置決めされる基準点となる第１位置決め部２０１と、第２位置決め部２０２とを有する。第１位置決め部２０１は、第１レンズ部材２０の長手方向Ｗにおける両端部に、１つずつ設けられる。第１位置決め部２０１は、レンズ部２１の側方に延在する基部２２に１つずつ設けられる。第１位置決め部２０１は、長手方向Ｗに沿って延びる長穴状に形成される。第２位置決め部２０２は、本実施形態では、レンズ部２１の上方に延在する基部２２に、１つ設けられる。第２位置決め部２０２は、短手方向Ｈに沿って延びる長穴状に形成される。
【００２８】
ここで、図６に示すように、第１レンズ２３ａの光軸ＡＸ１は、第１位置決め部２０１の中心線（延長線）Ｌ１と第２位置決め部２０２の中心線（延長線）Ｌ２とが交差する位置、または、その近傍に配置される。第１位置決め部２０１は、各第１レンズ２３の光軸ＡＸ１、ＡＸ２、ＡＸ３と、長手方向Ｗに沿って並ぶ位置に形成される。また、第２位置決め部２０２は、第１レンズ２３ａの光軸ＡＸ１と、短手方向Ｈに沿って並ぶ位置に形成される。本実施形態では、図中に一点鎖線で示すように、第１位置決め部２０１の長手方向Ｗに沿って延びる中心線（延長線）Ｌ１が光軸ＡＸ１、ＡＸ２、ＡＸ３と重なる。また、第２位置決め部２０２の短手方向Ｈに沿って延びる中心線（延長線）Ｌ２が光軸ＡＸ１と重なる。なお、「並ぶ位置に形成される」とは、中心線Ｌ１、Ｌ２が光軸ＡＸ１、ＡＸ２、ＡＸ３と重なる場合に限られない。第１位置決め部２０１は、中心線（延長線）Ｌ１上の近傍に光軸ＡＸ１、ＡＸ２、ＡＸ３が配置されればよく、第２位置決め部２０２は、中心線（延長線）Ｌ２上の近傍に光軸ＡＸ１が配置されればよい。例えば、図中に破線で囲んだ範囲に示すように、第１位置決め部２０１の短手方向Ｈにおける幅の範囲内に光軸ＡＸ１、ＡＸ２、ＡＸ３を配置し、第２位置決め部２０２の長手方向Ｗにおける幅の範囲内に、光軸ＡＸ１を配置してもよい。
【００２９】
第２レンズ部材３０は、図４に示すように、複数の光源１１に対して位置決めされる基準点となる第３位置決め部３０１と、第４位置決め部３０２とを有する。第３位置決め部３０１は、第２レンズ部材３０の長手方向Ｗにおける両端部に、１つずつ設けられる。第３位置決め部３０１は、レンズ部３１の側方に延在する基部３２に１つずつ設けられる。第３位置決め部３０１は、長手方向Ｗに沿って延びる長穴状に形成される。第４位置決め部３０２は、本実施形態では、レンズ部３１の上方に延在する基部３２に、１つ設けられる。第４位置決め部３０２は、短手方向Ｈに沿って延びるスリット状に形成される。
【００３０】
ここで、図４に示すように、第２レンズ３３ａの光軸ＡＸ１は、第３位置決め部３０１の中心線（延長線）Ｌ３と第４位置決め部３０２の中心線（延長線）Ｌ４とが交差する位置、または、その近傍に配置される。第３位置決め部３０１は、各第２レンズ３３の光軸ＡＸ１、ＡＸ２、ＡＸ３と、長手方向Ｗに沿って並ぶ位置に形成される。また、第４位置決め部３０２は、第２レンズ３３ａの光軸ＡＸ１と、短手方向Ｈに沿って並ぶ位置に形成される。本実施形態では、図中に一点鎖線で示すように、第３位置決め部３０１の長手方向Ｗに沿って延びる中心線（延長線）Ｌ３が光軸ＡＸ１、ＡＸ２、ＡＸ３と重なる。また、第４位置決め部３０２の短手方向Ｈに沿って延びる中心線（延長線）Ｌ４が光軸ＡＸ１と重なる。その結果、本実施形態では、第１位置決め部２０１と第３位置決め部３０１とが、長手方向Ｗに沿って並ぶ。また、第２位置決め部２０２と第４位置決め部３０２とが、短手方向Ｈに沿って並ぶ。なお、「並ぶ位置に形成される」とは、中心線Ｌ３、Ｌ４が光軸ＡＸ１、ＡＸ２、ＡＸ３と重なる場合に限られない。第３位置決め部３０１は、中心線（延長線）Ｌ３上の近傍に光軸ＡＸ１、ＡＸ２、ＡＸ３が配置されればよく、第４位置決め部３０２は、中心線（延長線）Ｌ４上の近傍に光軸ＡＸ１が配置されればよい。例えば、図中に破線で囲んだ範囲に示すように、第３位置決め部３０１の短手方向Ｈにおける幅の範囲内に光軸ＡＸ１、ＡＸ２、ＡＸ３を配置し、第４位置決め部４０２の長手方向Ｗにおける幅の範囲内に、光軸ＡＸ１を配置してもよい。
【００３１】
ヒートシンク４０は、図７に示すように、取付部４１に形成されたピン状の第１突出部４０１、第２突出部４０２、第３突出部４０３および第４突出部４０４を有する。第１突出部４０１は、第１基板位置決め部１０１および第１位置決め部２０１に嵌入可能な位置に１つずつ形成される。第２突出部４０２は、第２基板位置決め部１０２および第２位置決め部２０２に嵌入可能な位置に１つ形成される。第３突出部４０３は、第３位置決め部３０１に嵌入可能な位置に１つずつ形成される。第４突出部４０４は、第４位置決め部３０２に嵌入可能な位置に１つ形成される。
【００３２】
（取付構造）
光源基板１０は、図５に示すように、複数のねじ挿通穴１０３を有する。複数のねじ挿通穴１０３は、光源基板１０の長手方向Ｗにおける両端部に、２つずつ形成されている。ねじ挿通穴１０３は、後述する第１レンズ部材２０に形成されるねじ挿通穴２０３と、厚み方向Ｄからみて重なる位置に形成される。
【００３３】
第１レンズ部材２０は、図６に示すように、複数のねじ挿通穴２０３を有する。複数のねじ挿通穴２０３は、第１レンズ部材２０の長手方向Ｗにおける両端部に、２つずつ形成されている。ねじ挿通穴２０３は、レンズ部２１の側方に延在する基部２２に、２つずつ設けられる。
【００３４】
第２レンズ部材３０は、図２に示すように、複数のねじ挿通穴３０３を有する。複数のねじ挿通穴３０３は、第１レンズ部材２０の短手方向Ｈにおける両端部に、２つずつ形成されている。ねじ挿通穴３０３は、レンズ部３１の側方に延在する基部３２に、２つずつ設けられる。
【００３５】
ヒートシンク４０は、図７に示すように、取付部４１に形成された第１締結穴４１１および第２締結穴４１２を有する。第１締結穴４１１は、取付部４１の両端部に２つずつ形成されている。第１締結穴４１１は、ねじ５０（図２参照）を締結可能なねじ穴である。第１締結穴４１１は、ねじ挿通穴１０３、２０３と厚み方向Ｄからみて重なる位置に形成される。第２締結穴４１２は、第１締結穴４１１よりも外側で、取付部４１の両端部に２つずつ形成されている。第２締結穴４１２は、ねじ５１（図２参照）を締結可能なねじ穴である。第２締結穴４１２は、ねじ挿通穴３０３と厚み方向Ｄからみて重なる位置に形成される。なお、ねじ挿通穴１０３、２０３、３０３および第１締結穴４１１、第２締結穴４１２の形成位置、数は、これに限られない。
【００３６】
（ランプユニットの組み付け）
ランプユニット１は、図２に示すように、ヒートシンク４０に近い方から、光源基板１０、第１レンズ部材２０、第２レンズ部材３０の順に並び、各部材がヒートシンク４０の取付部４１に取り付けられる。
【００３７】
まず、ヒートシンク４０の第１突出部４０１が、光源基板１０の第１基板位置決め部１０１に嵌入される。それにより、ヒートシンク４０に対する光源基板１０の短手方向Ｈにおける移動が第１突出部４０１により規制され、光源基板１０の短手方向Ｈにおける位置決めがなされる。また、ヒートシンク４０の第２突出部４０２が、光源基板１０の第２基板位置決め部１０２に嵌入される。それにより、ヒートシンク４０に対する光源基板１０の長手方向Ｗにおける移動が第２突出部４０２により規制され、光源基板１０の長手方向Ｗにおける位置決めがなされる。
【００３８】
次に、ヒートシンク４０の第１突出部４０１が、第１レンズ部材２０の第１位置決め部２０１に嵌入される。それにより、ヒートシンク４０に対する第１レンズ部材２０の短手方向Ｈにおける移動が第１突出部４０１により規制され、第１レンズ部材２０の短手方向Ｈにおける位置決めがなされる。また、ヒートシンク４０の第２突出部４０２が、第１レンズ部材２０の第２位置決め部２０２に嵌入される。それにより、ヒートシンク４０に対する第１レンズ部材２０の長手方向Ｗにおける移動が第２突出部４０２により規制され、第１レンズ部材２０の長手方向Ｗにおける位置決めがなされる。そして、各ねじ挿通穴１０３、２０３を介して、ねじ５０がヒートシンク４０の各第１締結穴４１１に締結される。これにより、光源基板１０および第１レンズ部材２０がヒートシンク４０に取り付けられる。
【００３９】
さらに、ヒートシンク４０の第３突出部４０３が、第２レンズ部材３０の第３位置決め部３０１に嵌入される。それにより、ヒートシンク４０に対する第２レンズ部材３０の短手方向Ｈにおける移動が第３突出部４０３により規制され、第２レンズ部材３０の短手方向Ｈにおける位置決めがなされる。また、ヒートシンク４０の第４突出部４０４が、第２レンズ部材３０の第４位置決め部３０２に嵌入される。それにより、ヒートシンク４０に対する第２レンズ部材３０の長手方向Ｗにおける移動が第４突出部４０４により規制され、第２レンズ部材３０の長手方向Ｗにおける位置決めがなされる。そして、各ねじ挿通穴３０３を介して、ねじ５１がヒートシンク４０の各第２締結穴４１２に締結される。これにより、第２レンズ部材３０がヒートシンク４０に固定され、図１に示すランプユニット１の組み付けが完了する。なお、ねじ５０、５１の締結は、光学基板１０、第１レンズ２０および第２レンズ３０のすべてをヒートシンク４０に位置決めした後に行ってもよい。
【００４０】
上述のように組み付けられたランプユニット１において、第１基板位置決め部１０１、第１位置決め部２０１および第３位置決め部３０１が長手方向Ｗに沿って延びる長穴状またはスリット状である。そのため、光源基板１０、第１レンズ部材２０、第２レンズ部材３０の長手方向Ｗにおける変形が許容される。また、第２基板位置決め部１０２、第２位置決め部２０２および第４位置決め部３０２が短手方向Ｈに沿って延びる長穴状またはスリット状である。そのため、光源基板１０、第１レンズ部材２０、第２レンズ部材３０の短手方向Ｈにおける変形が許容される。つまり、長手方向Ｗおよび短手方向Ｈの双方において、光源基板１０、第１レンズ部材２０、第２レンズ部材３０の熱影響による変形を吸収することができる。
【００４１】
以上説明したように、実施形態にかかるランプユニット１では、第１レンズ２３ａの光軸ＡＸ１が、第１位置決め部２０１の延長線（Ｌ１）と第２位置決め部２０２の延長線（Ｌ２）とが交差する位置の近傍に配置される。そのため、第１レンズ部材２０は、熱影響を受けた場合、長手方向Ｗおよび短手方向Ｈにおいて、第１レンズ２３ａの光軸ＡＸ１を中心に変形することになる。その結果、第１レンズ２３ａの光軸ＡＸ１が初期位置、つまり光源１１に対してずれることを、抑制することができる。したがって、第１レンズ２３ａで形成する配光パターンを、より適切に維持することができる。
【００４２】
また、第２位置決め部２０２が第１レンズ２３ａの光軸ＡＸ１と短手方向Ｈに沿って並ぶ位置に形成される。その結果、特に熱による変形が生じやすい長手方向Ｗにおいて、第１レンズ２３ａの光軸ＡＸ１が初期位置、つまり光源１１に対してずれることを、抑制することができる。
【００４３】
また、第１位置決め部２０１が第１レンズ部材２０の長手方向Ｗにおける両端部に形成される。そのため、第１位置決め部２０１が他の位置に形成される場合に比べて、短手方向Ｈにおける第１レンズ部材２０の移動を、より安定的に規制することができる。その結果、例えばランプユニット１に振動、衝撃が加わったり、第１レンズ部材２０をヒートシンク４０にねじ５０でねじ止めする際の摩擦トルクが加わったりしても、第１レンズ部材２０が短手方向Ｈにおいて初期位置、つまり光源１１に対してずれることを抑制することができる。
【００４４】
したがって、実施形態によれば、複数の光源１１と、光源１１ごとに対応した光学部品である第１レンズ２３との位置関係を、より精度良く保持可能なランプユニット１を提供することができる。特に、実施形態の構成は、樹脂材料により形成され、熱影響等に起因して変形しやすい第１レンズ部材２０を備えるランプユニット１への適用に好適である。
【００４５】
また、第１レンズ２３ａは、カットオフラインを有する配光パターンを形成する。
【００４６】
この構成により、第１レンズ２３ａの光軸ＡＸ１が初期位置、つまり光源１１に対してずれることを抑制することで、配光パターンのカットオフラインを所望の位置に維持することができる。
【００４７】
また、第１レンズ２３ａは、集光配光パターンを形成する。
【００４８】
この構成により、第１レンズ２３ａの光軸ＡＸ１が初期位置、つまり光源１１に対してずれることを抑制することで、拡散配光パターンに比べて、光が所定の範囲に集中する集光配光パターンを、所望の位置に維持することができる。このように、カットオフラインを有し、集光配光パターンを形成する第１レンズ２３ａの光軸ＡＸ１のずれを抑制することで、対向車および先行車に対するグレア光の発生を抑制することができ、また、法規を満たした配光パターンを形成することができる。
【００４９】
また、第１位置決め部２０１は、光軸ＡＸ１と長手方向Ｗに沿って並ぶ位置に形成される。
【００５０】
この構成により、第１レンズ部材２０は、熱影響を受けた場合、短手方向Ｈにおいても第１レンズ２３ａの光軸ＡＸ１を中心に変形することになる。その結果、短手方向Ｈにおいても、第１レンズ２３ａの光軸ＡＸ１が初期位置、つまり光源１１に対してずれることを、抑制することができる。
【００５１】
また、第１位置決め部２０１は、第１レンズ部材２３の長手方向Ｗに沿って長穴状またはスリット状に形成され、第２位置決め部２０２は、第１レンズ部材２３の短手方向Ｈに沿って長穴状またはスリット状に形成され、ヒートシンク４０は、第１位置決め部２０１に嵌入される第１突出部３０１と、第２位置決め部２０２に嵌入される第２突出部３０２とを有する。
【００５２】
この構成により、第１突出部３０１を第１位置決め部２０１に嵌入することで、第１レンズ部材２３を短手方向Ｈにおいて容易に位置決めすることができる。また、第２突出部３０２を第２位置決め部２０２に嵌入することで、第１レンズ部材２３を長手方向Ｗにおいて容易に位置決めすることができる。
【００５３】
また、光源１１が複数並んで設けられ、第１レンズ部材２０との間でヒートシンク４０に取り付けられた光源基板１０をさらに備え、光源基板１０は、第１位置決め部２０１に対応した位置に設けられ、長手方向Ｗに沿って延びる長穴状またはスリット状の第１基板位置決め部１０１と、第２位置決め部２０２に対応した位置に設けられ、短手方向Ｈに沿って延びるスリット状の第２基板位置決め部１０２と、を有し、第１突出部４０１は、第１位置決め部２０１および第１基板位置決め部１０１に嵌入され、第２突出部４０２は、第２位置決め部２０２および第２基板位置決め部１０２に嵌入される。
【００５４】
この構成により、光源基板１０と第１レンズ部材２０とを同じ位置でヒートシンク４０に対して位置決めすることができる。その結果、光源基板１０と第１レンズ２３ａ、２３ｂ、２３ｃとの位置関係を、より精度良く維持することができる。また、位置決め用のピンである第１突出部４０１および第２突出部４０２を光源基板１０と第１レンズ部材２０とで共用することができるため、ヒートシンク４０の構造を単純化することが可能となる。
【００５５】
また、光学部材は、複数の光学部品として複数の第１レンズ２３（２３ａ、２３ｂ、２３ｃ）を有する第１レンズ部材２０である。
【００５６】
この構成により、第１レンズ２３ａ、２３ｂ、２３ｃの光源１１に対する位置を、より精度良く維持することができる。
【００５７】
また、光源１１ごとに対応した位置に複数並んで設けられ、第１レンズ２３と共に光源１１からの光を配光制御する第２レンズ３３を有する第２レンズ部材３０をさらに備え、第２レンズ部材３０は、長手方向Ｗに沿って延びる長穴状の第３位置決め部３０１と、短手方向Ｈに沿って延びるスリット状の第４位置決め部３０２とを有し、ヒートシンク４０は、第３位置決め部３０１に嵌入される第３突出部４０３と、第４位置決め部３０２に嵌入される第４突出部４０４とを有し、第３位置決め部３０１は、第２レンズ部材３０の長手方向Ｗの両端部に形成され、第４位置決め部３０２は、第２レンズ３３ａの光軸ＡＸ１と短手方向Ｈに沿って並ぶ位置に形成され、光軸ＡＸ１は、第３位置決め部３０１の延長線（Ｌ３）と第４位置決め部３０２の延長線（Ｌ４）とが交差する位置の近傍に配置される。
【００５８】
この構成により、第３位置決め部３０１および第３突出部４０３によって、短手方向Ｈにおいて第２レンズ部材３０がヒートシンク４０に対して位置決めされる。また、第４位置決め部３０２および第４突出部４０４によって、長手方向Ｗにおいて第２レンズ部材３０がヒートシンク４０に対して位置決めされる。
【００５９】
そして、第２レンズ３３ａの光軸ＡＸ１が、第３位置決め部３０１の延長線（Ｌ３）と第４位置決め部３０２の延長線（Ｌ４）とが交差する位置の近傍に配置される。そのため、第２レンズ部材３０は、熱影響を受けた場合、長手方向Ｗおよび短手方向Ｈにおいて、第２レンズ３３ａの光軸ＡＸ１を中心に変形することになる。その結果、第２レンズ３３ａの光軸ＡＸ１が初期位置、つまり光源１１に対してずれることを、抑制することができる。したがって、第２レンズ３３ａで形成する配光パターンを、より適切に維持することができる。
【００６０】
また、第４位置決め部３０２が第２レンズ３３ａの光軸ＡＸ１と短手方向Ｈに沿って並ぶ位置に形成される。その結果、特に熱による変形が生じやすい長手方向Ｗにおいて、第２レンズ３３ａの光軸ＡＸ１が初期位置、つまり光源１１に対してずれることを、抑制することができる。
【００６１】
また、第３位置決め部３０１が第２レンズ部材３０の長手方向Ｗにおける両端部に形成される。そのため、第３位置決め部３０１が他の位置に形成される場合に比べて、短手方向Ｈにおける第２レンズ部材３０の移動を、より安定的に規制することができる。その結果、例えばランプユニット１に振動、衝撃が加わったり、第２レンズ部材３０をヒートシンク４０にねじ５１でねじ止めする際の摩擦トルクが加わったりしても、第２レンズ部材３０が短手方向Ｈにおいて初期位置、つまり光源１１に対してずれることを抑制することができる。
【００６２】
また、第３位置決め部３０１は、光軸ＡＸ１と長手方向Ｗに沿って並ぶ位置に形成される。
【００６３】
この構成により、第２レンズ部材３０は、熱影響を受けた場合、短手方向Ｈにおいても第２レンズ３３ａの光軸ＡＸ１を中心に変形することになる。その結果、短手方向Ｈにおいても、第２レンズ３３ａの光軸ＡＸ１が初期位置、つまり光源１１に対してずれることを、抑制することができる。
【００６４】
また、本実施形態では、第１レンズ２３ａおよび第２レンズ２３ｂの光軸ＡＸ１、第１レンズ２３ｂおよび第２レンズ２３ｂの光軸ＡＸ２、第２レンズ２３ｃおよび第２レンズ２３ｃの光軸ＡＸ３が、長手方向Ｗに沿って並んで配置される。そして、第１レンズ部材２０の第２位置決め部２０２、第２レンズ部材３０の第３位置決め部３０２が、光軸ＡＸ１、ＡＸ２、ＡＸ３のすべてと長手方向Ｗに沿って並ぶ。そのため、第１レンズ部材２０または第２レンズ部材３０が熱影響で変形したとしても、短手方向Ｈにおいて、光軸ＡＸ１、ＡＸ２、ＡＸ３のすべてが初期位置、つまり光源１１に対してずれることが抑制される。
【００６５】
なお、本実施形態では、光軸ＡＸ１、ＡＸ２、ＡＸ３が長手方向Ｗに沿って並ぶものとしたが、光軸ＡＸ１、ＡＸ２、ＡＸ３は、長手方向Ｗに沿って並ぶものでなくてもよい。
【００６６】
また、第１レンズ２３、第２レンズ３３は、本実施形態に示したレンズに限られない。例えば、本実施形態では、第１レンズ２３ａを、集光配光パターンを形成する集光用レンズ、かつ、カットオフラインを形成するレンズとしたが、第１レンズ２３ａは、他の配光パターンを形成するレンズであってもよく、カットオフラインを形成しないレンズであってもよい。第１レンズ２３ａは、第１レンズ部材２０に含まれるレンズのうち、最も光軸の位置ずれを抑制することが望ましいレンズであればよい。同様に、第２レンズ３３ａも、第２レンズ部材３０に含まれるレンズのうち、最も光軸の位置ずれを抑制することが望ましいレンズであればよい。また、第１レンズ２３ａ、第２レンズ３３ａは、図３中の中央、右側のいずれに配置されてもよい。
【００６７】
また、本実施形態では、第１基板位置決め部１０１と第１位置決め部２０１とを厚み方向Ｄからみて重なる位置に形成し、第２基板位置決め部１０２と第１位置決め部２０２とを厚み方向Ｄからみて重なる位置に形成するものとした。ただし、これらの位置決め部を厚み方向Ｄからみて重ならない位置に形成してもよい。この場合、ヒートシンク４０に光源基板１０の位置決め用の突出部と、第１レンズ部材２０の位置決め用の突出部とを、別々に設けてもよい。
【００６８】
また、本実施形態では、複数の光源１１が設けられた光源基板１０を用いるものとしたが、複数の光源１１は、ヒートシンク４０に直接取り付けられてもよい。
【００６９】
また、第１基板位置決め部１０１、第２基板位置決め部１０２、第１位置決め部２０１、第２位置決め部２０２、第３位置決め部３０１および第４位置決め部３０２は、長穴状、スリット状のいずれに形成されてもよい。
【００７０】
また、本実施形態では、光学部材として第１レンズ部材２０を用いる場合を例示として説明した。ただし、光学部材は、レンズに限られず、リフレクタであってもよい。
【００７１】
また、本実施形態では、第１レンズ２３が３つの場合を例として説明したが、本実施形態の構成は、光学部品を２つ以上有する光学部材を備えるランプユニットであれば、適用可能である。
【００７２】
また、本実施形態では、取付部材としてヒートシンク４０を用いるものとしたが、取付部材は、ヒートシンク４０以外の部材であってもよい。
【符号の説明】
【００７３】
１  ランプユニット
１０  光源基板
１１、１１ａ、１１ｂ、１１ｃ  光源
１２  給電部
２０  第１レンズ部材
２１  レンズ部
２２  基部
２３、２３ａ、２３ｂ、２３ｃ  第１レンズ
３０  第２レンズ部材
３１  レンズ部
３２  基部
３３、３３ａ、３３ｂ、３３ｃ  第２レンズ
４０  ヒートシンク
４１  取付部
４２  フィン
１０１  第１基板位置決め部
１０２  第２基板位置決め部
１０３  ねじ挿通穴
２０１  第１位置決め部
２０２  第２位置決め部
２０３  ねじ挿通穴
３０１  第３位置決め部
３０２  第４位置決め部
３０３  ねじ挿通穴
３１１  天井部
３１２  側部
４０１  第１突出部
４０２  第２突出部
４０３  第３突出部
４０４  第４突出部
４１１  第１締結穴
４１２  第２締結穴
ＡＸ１、ＡＸ２、ＡＸ３  光軸
Ｄ  厚み方向
Ｈ  短手方向
Ｌ１、Ｌ２、Ｌ３、Ｌ４  中心線
Ｗ  長手方向
【図１】
2019220398.tif 000003
【図２】
2019220398.tif 000004
【図３】
2019220398.tif 000005
【図４】
2019220398.tif 000006
【図５】
2019220398.tif 000007
【図６】
2019220398.tif 000008
【図７】
2019220398.tif 000009